(57)【要約】【課題】フィルタリング面積を向上することで換気性能を向上させ、フィルタリングする部材の変更を可能とし、遮音性能と、フィルタ交換時期の目視確認が可能な機能を有する換気ユニットシャッター及び換気ユニットを提供する。【解決手段】本発明の換気ユニットシャッター（１）は、建物に設けられた貫通孔（１０１）に設置される換気ユニットのシャッターであって、貫通孔（１０１）に嵌合される筒状の本体部（１１）の通気経路部（１１ａ）を覆うための蓋部（２）と、この蓋部（２）に取り付けられた支持部（３）と、この支持部（３）に取り付けられ、本体部（１１）と蓋部（２）との隙間を被覆する被覆部（４）とを備え、被覆部（４）は、連続気泡を有する多孔質材料からなる。本発明の換気ユニット（１０）は、換気ユニットシャッター（１）と、貫通孔（１０１）に嵌合され、通気経路部（１１ａ）を有する筒状の本体部（１１）とを備え、換気ユニットシャッター（１）が本体部（１１）に着脱可能に取り付けられている。【選択図】図１
2016148487.tif 000002
【特許請求の範囲】
【請求項１】
建物に設けられた貫通孔に設置される換気ユニットのシャッターであって、
前記貫通孔に嵌合される筒状の本体部の通気経路部を覆うための蓋部と、
前記蓋部に取り付けられた支持部と、
前記支持部に取り付けられ、前記本体部と前記蓋部との隙間を被覆する被覆部とを備え、
前記被覆部は、連続気泡を有する多孔質材料からなる、換気ユニットシャッター。
【請求項２】
前記蓋部において前記支持部の外周に設けられた気密材をさらに備える、請求項１に記載の換気ユニットシャッター。
【請求項３】
前記被覆部は、前記連続気泡による通気性と吸音性とを有する、請求項１または２に記載の換気ユニットシャッター。
【請求項４】
前記被覆部は、ガラス繊維、岩綿、石綿、不織布及び発泡材料からなる群より選ばれた少なくとも一種の材料よりなる、請求項１〜３のいずれか１項に記載の換気ユニットシャッター。
【請求項５】
請求項１〜４のいずれか１項に記載の換気ユニットシャッターと、
前記貫通孔に嵌合され、通気経路部を有する筒状の本体部とを備え、
前記換気ユニットシャッターが前記本体部に着脱可能に取り付けられている、換気ユニット。
【請求項６】
前記通気経路部の内部に配置されるフィルタをさらに備え、
前記フィルタの連続気泡は、前記被覆部の連続気泡よりも大きい、請求項５に記載の換気ユニット。
【発明の詳細な説明】
【技術分野】
【０００１】
本発明は、換気ユニットシャッター及び換気ユニットに関し、より特定的には、建物に設けられた貫通孔に設置される換気ユニットのシャッター及び換気ユニットに関する。
【背景技術】
【０００２】
従来より、換気ユニットは、建物に設けられた貫通孔に設置されている。このような換気ユニットとして、例えば特許第５２６３４４５号（特許文献１）が挙げられる。この特許文献１に開示の換気ユニットは、図５に示すように、伸縮機構１１１とフィルタ１１２とを含む本体１１０と、この伸縮機構１１１によって開閉可能に取り付けられ、かつ本体１１０の開口を塞ぐことができるとともに本体１１０の開口とシャッター１２０との間に生じる吸気口１３０の適宜の一部を遮断するシャッター１２０とを備えている。
【先行技術文献】
【特許文献】
【０００３】
【特許文献１】特許第５２６３４４５号
【発明の概要】
【発明が解決しようとする課題】
【０００４】
上記特許文献１では、建物外部から空気が取り込まれる際に、埃等が建物内部に侵入することを防止するために、フィルタ１１２が設けられている。しかしながら、このフィルタ１１２は本体１１０の内部に配置されているため、フィルタリングを本体１１０の内部で行うと、フィルタリング面積には限界がある。また、フィルタ１１２は本体１１０の内部に配置されているため、交換時期がわかりにくく、換気性能を低下させてしまう。また、換気をする際に発生する音を遮音することが望ましい。
【０００５】
本発明は、上記問題点に鑑み、フィルタリング面積を向上することで換気性能を向上させ、フィルタリングする部材の変更を可能とし、遮音性能と、フィルタ交換時期の目視確認が可能な機能を有する換気ユニットシャッター及び換気ユニットを提供することを課題とする。
【課題を解決するための手段】
【０００６】
本発明の換気ユニットシャッターは、建物に設けられた貫通孔に設置される換気ユニットのシャッターであって、貫通孔に嵌合される筒状の本体部の通気経路部を覆うための蓋部と、この蓋部に取り付けられた支持部と、この支持部に取り付けられ、本体部と蓋部との隙間を被覆する被覆部とを備え、被覆部は、連続気泡を有する多孔質材料からなる。
【０００７】
本発明の換気ユニットシャッターにおいて好ましくは、支持部は、本体部と蓋部との隙間の一部を遮断する風向調整部を有している。
【０００８】
本発明の換気ユニットシャッターにおいて好ましくは、蓋部において支持部の外周に設けられた気密材をさらに備えている。
【０００９】
本発明の換気ユニットシャッターにおいて好ましくは、被覆部は、連続気泡による通気性と吸音性とを有している。
【００１０】
本発明の換気ユニットシャッターにおいて好ましくは、被覆部は、ガラス繊維、岩綿、石綿、不織布及び発泡材料からなる群より選ばれた少なくとも一種の材料よりなる。
【００１１】
本発明の換気ユニットは、上記換気ユニットシャッターと、貫通孔に嵌合され、通気経路部を有する筒状の本体部とを備え、換気ユニットシャッターが本体部に着脱可能に取り付けられている。
【００１２】
本発明の換気ユニットにおいて好ましくは、通気経路部の内部に配置されるフィルタをさらに備え、フィルタの連続気泡は、被覆部の連続気泡よりも大きい。
【発明の効果】
【００１３】
本発明によれば、フィルタリング面積を向上することで換気性能を向上させ、フィルタリングする部材の変更を可能とし、遮音性能と、フィルタ交換時期の目視確認が可能な機能を有する換気ユニットシャッター及び換気ユニットを提供することができる。
【図面の簡単な説明】
【００１４】
【図１】本発明の実施の形態１における換気ユニットを模式的に示す断面図であり、本体部と蓋部との間に隙間がある状態を示す。
【図２】本発明の実施の形態１における換気ユニットを模式的に示す断面図であり、本体部と蓋部との間に隙間がない状態を示す。
【図３】本発明の実施の形態１における換気ユニットに設けられる被覆部及び支持部を概略的に示す斜視図である。
【図４】本発明の実施の形態２における換気ユニットを模式的に示す断面図である。
【図５】特許文献１の換気ユニットを示す断面図である。
【発明を実施するための形態】
【００１５】
以下、図面に基づいて本発明の実施の形態を説明する。なお、以下の図面において同一または相当する部分には同一の参照符号を付しその説明は繰り返さない。
【００１６】
（実施の形態１）
図１及び図２を参照して、本発明の一実施形態の換気ユニットシャッター及び換気ユニットについて説明する。図１及び図２に示すように、本発明の実施の形態の換気ユニット１０は、建物に設けられた貫通孔１０１に設置されている。本実施の形態の換気ユニットシャッター１は、換気ユニット１０の一部である。なお、図１及び図２において、左側は建物内部（室内）側であり、右側は建物外部（室外）側に通じている。
【００１７】
図１及び図２に示すように、換気ユニットシャッター１は、蓋部２と、支持部３と、被覆部４と、気密材５とを備えている。換気ユニット１０は、換気ユニットシャッター１と、本体部１１と、調整部材１４と、受け部１５と、固定部１６とを備えている。
【００１８】
蓋部２は、貫通孔１０１に嵌合される筒状の本体部１１の通気経路部１１ａを覆う。なお、筒状は、中が空洞になっている形状であれば特に限定されず、円筒、角筒等を含む。室外側から見て、蓋部２は、通気経路部１１ａを蓋部２に投影した全領域を含む。このため、図２に示すように、換気をしない場合には、蓋部２は通気経路部１１ａ全体を覆う。
【００１９】
この蓋部２に、支持部３が取り付けられている。具体的には、蓋部２の室内側に位置する面に支持部３が設けられている。支持部３は、蓋部２に係合するように構成されることにより、蓋部２に接して設けられていてもよく、蓋部２と接着剤等の接続部材を介して接続されていてもよい。
【００２０】
支持部３は、蓋部２と本体部１１との隙間に位置している。支持部３は、被覆部４を支持するためのものであり、筒状である。支持部３の一端は蓋部２に取り付けられており、支持部３の外周縁は、建物に形成された貫通孔１０１に沿って延びる延在部１１ｂの内周縁と相似形状である。このため、蓋部２の移動に伴って支持部３は本体部１１の通気経路部１１ａ内を移動可能に構成されている。
【００２１】
支持部３は、本体部１１と蓋部２との隙間の一部を遮断する風向調整部を有している。風向調整部は、隙間を遮断しているので、風向調整部が位置している領域には、空気が通過しない。風向調整部は、周方向に回転可能であるように構成されていることが好ましい。本実施の形態では、支持部３が周方向に回転可能に蓋部２に取り付けられている。これにより、任意の位置で空気の流れが遮断されるので、換気ユニット１０を通過して室内に流入する空気の風向を調整することができる。
【００２２】
具体的には、支持部３は、例えば、図３に示すように、間隔を隔てて設けられた２つのリング状の基材３ａと、この基材３ａを接続する接続部材３ｂと、風向調整部３ｃとを含んでいる。風向調整部３ｃは、間隔を隔てて設けられた基材３ａ間の一部を覆っている。風向調整部３ｃは、基材３ａと別部材であってもよく、一体成形されていてもよい。
【００２３】
なお、支持部３の形状は特に限定されず、基材３ａは１つであってもよく、基材から風向調整部が延出するように設けられていてもよい。
【００２４】
蓋部２及び支持部３は、空気を通さない部材で構成されている。具体的には、蓋部２及び支持部３は、金属、樹脂等の剛体部材で構成されていることが好ましい。
【００２５】
この支持部３には、被覆部４が取り付けられている。被覆部４は、支持部３に接して設けられていてもよく、支持部３と接着剤等の接続部材を介して接続されていてもよい。被覆部４が支持部３に接して設けられている場合には、被覆部４は支持部３に係合するように構成される。このような構成として、支持部３に爪部が設けられており、被覆部４はその爪部に引っ掛かるように取り付けられる。また、換気ユニットシャッター１がフィルタ押さえ部をさらに備え、そのフィルタ押さえ部により、被覆部４を支持部３に取り付けてもよい。
【００２６】
被覆部４は、本体部１１と蓋部２との隙間を被覆して、通気経路部１１ａ内の埃などを室内に流入することを防止する。被覆部４は、被覆部４が存在しない場合に比べて、本体部１１と蓋部２との隙間が小さくなるような配置であれば特に限定されないが、本体部１１と蓋部２と支持部３との隙間がなくなるように配置されていることが好ましい。つまり、本体部１１と蓋部２との隙間全体に、支持部３と被覆部４とが設けられていることが好ましい。
【００２７】
具体的には、図３に示すように、基材３ａ間に渡って被覆部４が設けられている。つまり、基材３ａに被せるように被覆部４が取り付けられている。支持部３により、被覆部４のリング形状を維持している。このため、図１に示すように、蓋部２の移動に伴って支持部３及び被覆部４が本体部１１の通気経路部１１ａ内を移動可能である。
【００２８】
被覆部４は、連続気泡を有する多孔質材料からなり、多孔質材料は、連続気泡による通気性と吸音性とを有している。被覆部４は、多孔質材料であるので、フィルタリングの機能を有する部材である。多孔質材料の連続気泡は、隙間において、空気の流路となる。被覆部４は、多孔質材料の孔よりも大きなものをフィルタリングすることが可能であるので、フィルタリングの機能を有する部材である。
【００２９】
多孔質材料は、例えば、ガラス繊維、岩綿、石綿、不織布、不織布以外の布、発泡材料、細孔を有する紙などを用いることができ、ガラス繊維、岩綿、石綿、不織布及び発泡材料からなる群より選ばれた少なくとも一種の材料よりなることが好ましい。被覆部４が不織布等の薄い材料である場合には、複数枚の多孔質材料が積層されていてもよい。
【００３０】
蓋部２において支持部３の外周に、気密材５が設けられている。気密材５は、図２に示すように本体部１１と蓋部２との間に隙間がない状態に蓋部２を移動させると、本体部１１と蓋部２との隙間を埋める。気密材５は、例えば弾性部材である。
【００３１】
上述した換気ユニットシャッター１は、換気ユニット１０の本体部１１に着脱可能に取り付けられる。
【００３２】
本体部１１は、建物の壁１０２に設けられた貫通孔１０１に嵌合される。本体部１１は、筒状の部材であって、内部の貫通孔は、建物の外部と内部との間で空気の移動が可能な通気経路部１１ａを構成する。
【００３３】
本実施の形態の本体部１１は、建物に形成された貫通孔１０１に沿って延びる延在部１１ｂと、この延在部１１ｂに連なり、かつ貫通孔１０１を構成する壁１０２の室内側の端部に沿って延出する鍔部１１ｃとを有している。
【００３４】
本体部１１は、空気を通さない部材で構成されている。具体的には、本体部１１は、金属、樹脂等の剛体部材で構成されていることが好ましい。
【００３５】
本体部１１の内部には、調整部材１４が配置されている。調整部材１４は、蓋部２の中心部に取り付けられ、蓋部２の位置を調整する。調整部材１４は、通気経路部１１ａに沿って延びる棒状である。この調整部材１４を受けるために、受け部１５が設けられている。調整部材１４は、受け部１５に沿って摺動可能である。調整部材１４と受け部１５とは、複数の所定位置で係合されることにより、係止される。受け部１５は、例えば、調整部材１４側に開口部を有し、断面視においてコ字状である。この受け部１５を本体部１１に固定するために、固定部１６が設けられている。固定部１６は、本体部１１の延在部１１ｂから、通気経路部１１ａの中心軸線に向けて延びている。固定部１６は、通気経路部１１ａの一部に位置するものであり、通気経路部１１ａを塞ぐことはない。固定部１６は、例えば放射状である。
【００３６】
続いて、本実施の形態の換気ユニット１０を建物の貫通孔１０１に取り付けた状態での使用方法について説明する。
【００３７】
図１に示すように、調整部材１４を受け部１５内において室内側に位置した状態で固定することにより、本体部１１と蓋部２との間に隙間が形成される。この隙間には、多孔質材料の被覆部４が配置されているので、本体部１１の通気経路部１１ａを介して流入した建物外部の空気は、被覆部４で埃などがフィルタリングされる。被覆部４は連続気泡を有するので、この連続気泡を通って、図１における矢印のように、フィルタリングされた空気が室内側へ流入される。また、図１における矢印のように、室内側の空気を通気経路部１１ａを介して室外側に流出させることもできる。そして、この換気によって生じる音（建物外部で発生している音を含む）は、被覆部４の連続気泡で吸音することができる。つまり、被覆部４の連続気泡は、本体部１１と蓋部２との間に隙間が形成されている場合に発生する音を吸音する。
【００３８】
なお、調整部材１４を受け部１５内においてさらに室内側に移動させることで、蓋部２と本体部１１との隙間が最大の配置、つまり蓋部２と本体部１１との間隔が最も大きい配置にすることができる。また、調整部材１４を受け部１５内においてさらに室外側に移動させることで、蓋部２と本体部１１との隙間が小さくなる配置にすることもできる。
【００３９】
このように、調整部材１４により本体部１１と蓋部２との隙間幅を調整することができるので、本実施の形態の換気ユニット１０は、換気量と遮音性能とのバランスを任意に調整することができる。特に、本実施の形態では、蓋部２には支持部３が取り付けられ、支持部３には被覆部４が取り付けられているので、被覆部４は圧縮されることなく、支持部３に取り付けられた状態で、通気経路部１１ａ内を移動する。つまり、被覆部４は、蓋部２の位置によらずに、被覆部４は一定の面密度を維持できる。このため、被覆部４が吸音効果の高い材料である場合には、本体部１１と蓋部２との隙間幅によらず、吸音効果の高い状態を維持できる。また、被覆部４が圧縮されないので、被覆部４で埃等をフィルタリングした状態を保持したまま、蓋部２と本体部１１との隙間を調整できる。
【００４０】
次に、図２に示すように、調整部材１４を受け部１５内においてさらに室外側に位置した状態で固定することにより、蓋部２と本体部１１との間に隙間が形成されない。この場合、建物の内外で空気の移動がないので、換気はされない。
【００４１】
次に、換気ユニット１０を使用することで、汚れ等によって被覆部４の交換が必要な場合には、以下のように行う。換気ユニットシャッター１を本体部１１から取り外し、次いで、支持部３から被覆部４を取り外す。そして、新しい（未使用の）被覆部４を支持部３に取り付ける。その後、新しい被覆部４を備えた換気ユニットシャッター１を、本体部１１に取り付ける。この場合、本体部１１の延在部１１ｂの内部まで手を挿入しなくても、被覆部４を交換することができる。
【００４２】
なお、被覆部４の交換は、以下のように行ってもよい。換気ユニットシャッター１を本体部１１から取り外した後、蓋部２から被覆部４が取り付けられた支持部３を取り外し、新しい被覆部４が取り付けられた支持部３を蓋部２に取り付ける。つまり、図３に示すような支持部３と被覆部４との被覆部ユニットを準備し、蓋部２に取り付けられた被覆部ユニットを交換する。最後に、換気ユニットシャッター１を本体部１１に取り付ける。
【００４３】
また、換気ユニットシャッター１を本体部１１から取り外さなくても被覆部４を交換できるように構成されている場合には、換気ユニットシャッター１を本体部１１から取り外すことなく、被覆部４を交換してもよい。
【００４４】
以上説明したように、本実施の形態の換気ユニットシャッター１は、建物に設けられた貫通孔１０１に設置される換気ユニット１０のシャッターであって、貫通孔１０１に嵌合される筒状の本体部１１の通気経路部１１ａを覆うための蓋部２と、この蓋部２に取り付けられた支持部３と、この支持部３に取り付けられ、本体部１１と蓋部２との隙間を被覆する被覆部４とを備え、被覆部４は、連続気泡を有する多孔質材料からなる。
【００４５】
本実施の形態の換気ユニット１０は、上記換気ユニットシャッター１と、貫通孔１０１に嵌合され、通気経路部１１ａを有する筒状の本体部１１とを備え、換気ユニットシャッター１が本体部１１に着脱可能に取り付けられている。
【００４６】
本実施の形態の換気ユニットシャッター１及び換気ユニット１０によれば、連続気泡を有する多孔質材料からなる被覆部４が、本体部１１と蓋部２との隙間を被覆している。被覆部４が多孔質材料であるので、埃等が建物内部に侵入することを防止するためのフィルタリングの機能を有している。また、被覆部４の連続気泡により、通気経路部１１ａを通った室外側の空気を室内に取り込むことができるとともに、通気経路部１１ａを通った室内側の空気を室外へ排出することができる。さらに、この被覆部４は、本体部１１と蓋部２との隙間、つまり室内側の隙間に配置されているので、本体部１１の内部である通気経路部１１ａの内径よりもフィルタリング面積を大きくすることができるので、換気性能を向上することができる。また、支持部３によって、被覆部４の形状を保持できるので、被覆部４の選定が可能である。つまり、支持部３により、被覆部４の変更が可能である。また、連続気泡を有する多孔質材料からなる被覆部１３を用いているので、遮音性能を有する。また、被覆部４は、本体部１１と蓋部２との隙間に配置されているので、交換時期がわかりやすく、目視が可能な機能を有している。このため、フィルタリング性能が大幅に低下する前に被覆部４を容易に交換することができるので、換気性能を向上することができる。
【００４７】
さらには、この被覆部４は、本体部１１と蓋部２との隙間、つまり室内側の隙間に配置されているので、本体部１１の内部（通気経路部１１ａ）から被覆部４を取り出すような作業は不要であり、室内側に露出している被覆部４を交換すればよい。このため、フィルタリングの機能を有する部材である被覆部４の交換が容易である。
【００４８】
それに加えて、本実施の形態の換気ユニット１０は、以下の効果を有する。具体的には、被覆部４は、本体部１１と蓋部２との隙間に配置されているので、室内から被覆部４を視認しやすい。このため、被覆部４の交換を促すことができるので、被覆部４のフィルタリング性能を維持できる。
【００４９】
また、本実施の形態の換気ユニットシャッター１及び換気ユニット１０の被覆部４は空気清浄フィルタの役割を担うため、本実施の形態の換気ユニットシャッター１及び換気ユニット１０は、上記特許文献１のような通気経路部１１ａに設けられるフィルタを省略することもできる。このため、高い通気性能を維持しつつ、被覆部４の交換が容易である。
【００５０】
また、本実施の形態の換気ユニットシャッター１及び換気ユニット１０の被覆部４は、蓋部２に取り付けられた支持部３に取り付けられている。このため、被覆部４の形状を容易に維持できる。さらに、支持部３を通気経路部１１ａの内部を摺動できる形状にすることにより、蓋部２が本体部の室内側開口端からいずれの位置にあっても、被覆部４が押し潰されることを防止できるので、換気性能及び吸音性能を維持できる。また、蓋部２と本体部１１との隙間幅を変更しても、支持部３により被覆部４が通気経路部１１ａ内を圧縮されずに、そのままの状態で移動できるので、被覆部４で埃等をフィルタリングした状態を保持できる。このため、本実施の形態の換気ユニットシャッター１及び換気ユニット１０は、蓋部２と本体部１１との隙間幅を調整できる換気ユニットに好適に用いられる。
【００５１】
本実施の形態の換気ユニットシャッター１及び換気ユニット１０において好ましくは、支持部３は、本体部１１と蓋部２との隙間の一部を遮断する風向調整部３ｃを有している。風向調整部３ｃにより、空気の流れを遮断できるので、本実施の形態の換気ユニットシャッター１を備える換気ユニット１０は、風向調節機能をさらに有している。
【００５２】
本実施の形態の換気ユニットシャッター１及び換気ユニット１０において好ましくは、蓋部２において支持部３の外周に設けられた気密材５をさらに備えている。図２に示すように本体部１１と蓋部２との間に隙間がない状態に蓋部２を移動させるときに、気密材５が隙間を埋めるので、密閉度を高めることができる。
【００５３】
本実施の形態の換気ユニットシャッター１及び換気ユニット１０において好ましくは、被覆部４は、連続気泡による通気性と吸音性とを有している。
【００５４】
本発明者は、連続気泡を有する多孔質材料を、空気を通さない部材間に配置した場合には、吸音効果が高まることに着目した。そして、換気ユニット１０の本体部１１と蓋部２との隙間で音の粒子速度が高くなる（急激な圧力変化が生じる）現象を利用して、その隙間で効果的に吸音を行うため、連続気泡を有する多孔質材料からなる被覆部４を配置することに本発明者は想到した。
【００５５】
詳細には、音の粒子速度が高くなる本体部１１と蓋部２との隙間に連続気泡を有する多孔質材料からなる被覆部４を設けているので、多孔質材料の内部を空気が通過した際に、摩擦によって音エネルギーが熱エネルギーとして吸収される。これにより、隙間透過音の粒子速度が抑制されるので、本体部１１と蓋部２との隙間透過音を低減することができる。このため、本実施の形態の被覆部４は、遮音性能を有している。また、多孔質材料は連続気泡を有しているので、透過音を遮音する部材である被覆部４を隙間に設けていても、通気性を確保することができる。したがって、本実施の形態の換気ユニットシャッター１及び換気ユニット１０は、遮音性及び通気性を両立することができる。
【００５６】
本実施の形態の換気ユニットシャッター１及び換気ユニット１０は遮音性能を向上できるので、サイレンサ等を省略することができる。サイレンサを通気経路部１１ａに設ける場合には、サイレンサにより通気性能が低下するので、本実施の形態の換気ユニットシャッター１及び換気ユニット１０は通気性能を向上することもできる。
【００５７】
本実施の形態の換気ユニットシャッター１及び換気ユニット１０において好ましくは、被覆部４は、ガラス繊維、岩綿、石綿、不織布及び発泡材料からなる群より選ばれた少なくとも一種の材料よりなる。これらの材料は通気性と吸音性を有し、かつ本体部１１と蓋部２との隙間を埋めるように配置しやすいので、遮音性及び通気性を両立する換気ユニット１０を容易に実現できる。
【００５８】
ここで、本実施の形態の換気ユニットシャッター１及び換気ユニット１０は、構造を簡略化した図１及び図２を用いて説明したが、本発明の換気ユニットシャッター及び換気ユニットは、上記特許文献１のように、種々の部材をさらに備えていてもよく、本体部１１と蓋部２との隙間を調整するための機構等を複雑にしてもよい。
【００５９】
（実施の形態２）
図４を参照して、実施の形態２の換気ユニット２０を説明する。実施の形態２の換気ユニット２０は、基本的には、実施の形態１の換気ユニット１０と同様の構成を備えているが、通気経路部１１ａの内部に配置されたフィルタ２１をさらに備えている点において異なる。
【００６０】
フィルタ２１は、通気経路部１１ａの延在方向（図４において左右方向）と交差（本実施の形態では直交）する方向（図４において上下方向）に延びるように設けられている。このフィルタ２１は、室外から通気経路部１１ａに流入した空気中の埃等をフィルタリングする。本実施の形態では、固定部１６は、フィルタ２１を支持する役割、すなわちフィルタ押さえ部としても用いられるが、固定部１６と別部材としてのフィルタ押さえ部がさらに配置されていてもよい。
【００６１】
フィルタ２１の連続気泡は、被覆部４の連続気泡よりも大きい。換言すると、フィルタ２１を構成する多孔質材料の孔は、被覆部４を構成する多孔質材料の孔よりも大きい。被覆部４及びフィルタ２１がメッシュである場合、フィルタ２１の目開きは、被覆部４の目開きよりも大きい。この場合、フィルタ２１で大きなものをフィルタリングし、被覆部４で小さなものをフィルタリングする。
【００６２】
なお、フィルタ２１及び被覆部４の連続気泡の大きさは特に限定されない。例えば、フィルタ２１は埃等をフィルタリングするために適した材料を選択し、被覆部４は吸音効果の高い材料を選択することができる。被覆部４を構成する吸音効果の高い材料として、１０Ｎ・ｓ／ｍ3以上の流れ抵抗を有する多孔質材料を用いることができる。なお、流れ抵抗とは、材料にある一定の流速空気を流したときの材料前後の圧力差により測定される値である。
【００６３】
以上説明したように、実施の形態２の換気ユニット１０は、通気経路部１１ａの内部に配置されるフィルタ２１をさらに備え、フィルタ２１の連続気泡は、被覆部４の連続気泡よりも大きい。これにより、実施の形態２の換気ユニット２０は、埃等のフィルタリングの性能をさらに向上することができる。
【００６４】
今回開示された実施の形態はすべての点で例示であって制限的なものではないと考えられるべきである。本発明の範囲は上記した実施の形態ではなくて特許請求の範囲によって示され、特許請求の範囲と均等の意味および範囲内でのすべての変更が含まれることが意図される。
【符号の説明】
【００６５】
１  換気ユニットシャッター、２  蓋部、３  支持部、３ａ  基材、３ｂ  接続部材、３ｃ  風向調整部、４  被覆部、５  気密材、１０，２０  換気ユニット、１１  本体部、１１ａ  通気経路部、１１ｂ  延在部、１１ｃ  鍔部、１４  調整部材、１５  受け部、１６  保持部、２１  フィルタ、１０１  貫通孔、１０２  壁。
【図１】
2016148487.tif 000003
【図２】
2016148487.tif 000004
【図３】
2016148487.tif 000005
【図４】
2016148487.tif 000006
【図５】
2016148487.tif 000007